【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
コンピュータで実行される、ユーザを教えるための方法であって、
第1の成分を識別することを教えることと、
前記第１の成分を第２の成分から弁別することを教えることと
で構成される方法。
【請求項２】
前記第1の成分を識別することを教えることは、
前記第１の成分の第１の表現を提示することと、
前記第１の成分の第２の表現を提示することと、
前記ユーザが行動を行うよう促すことと、
前記ユーザが行った行動に応じて、正のフィードバックを提示することと
で構成される請求項１に記載の方法。
【請求項３】
前記正のフィードバックを提示することは、前記第１の表現と第２の表現の一方を再提示することからなる請求項２に記載の方法。
【請求項４】
前記第１の成分の第１の表現と前記第１の成分の第２の表現の一方が視覚的である請求項２に記載の方法。
【請求項５】
前記第１の成分の第１の表現と前記第１の成分の第２の表現の一方が聴覚的である請求項２に記載の方法。
【請求項６】
前記第1の成分を識別することを教えることは、
前記第１の成分の第１の視覚的表現を提示することと、
前記第１の成分の聴覚的表現を提示することと、
前記第１の成分の第２の視覚的表現を提示することと、
前記ユーザが前記第１の視覚的表現を選択するよう促し、該ユーザが該第１の視覚的表現を選択したことに応じて、前記聴覚的表現と前記第２の視覚的表現の一方を再提示すること、又は、前記ユーザが前記第２の視覚的表現を選択するよう促し、該ユーザが該第２の視覚的表現を選択したことに応じて、前記聴覚的表現と前記第１の視覚的表現の一方を再提示すること、のいずれか一方と、
で構成される請求項１に記載の方法。
【請求項７】
前記第１の成分を第２の成分から弁別することを教えることは、
前記第１の成分の視覚的表現を提示することと、
前記第２の成分の視覚的表現を提示することと、
前記ユーザが前記第１の成分の前記視覚的表現を選択することを促すことと、
該ユーザが該第１の成分の視覚的表現を選択したことに応じて、正のフィードバックを提示することと、
で構成される請求項１に記載の方法。
【請求項８】
前記正のフィードバックを提示することは、前記第１の成分の前記視覚的表現と前記第２の成分の前記視覚的表現の一方を再提示することからなる請求項７に記載の方法。
【請求項９】
前記第１の成分を第２の成分から弁別することを教えることは、
前記第１の成分の聴覚的表現を提示することと、
前記第２の成分の聴覚的表現を提示することと、
前記第１の成分の前記聴覚的表現が再提示されたことに応答して前記ユーザが行動を行うよう促すことと、
該ユーザが行動を行ったことに応じて、正のフィードバックを提示することと、
で構成される請求項１に記載の方法。
【請求項１０】
前記正のフィードバックを提示することは、前記第１の成分の前記聴覚的表現と前記第２の成分の前記聴覚的表現の一方を再提示することからなる請求項９に記載の方法。
【請求項１１】
前記第１の成分を第２の成分から弁別することを教えることは、
前記第１の成分の視覚的表現を提示することと、
前記第２の成分の視覚的表現を提示することと、
前記ユーザが前記第２の成分の前記視覚的表現を選択することを促すことと、
該ユーザが該第２の成分の視覚的表現を選択したことに応じて、正のフィードバックを提示することと、
で構成される請求項１に記載の方法。
【請求項１２】
前記第１の成分の視覚的表現と前記第２の成分の視覚的表現が同時的に提示されることを特徴とする請求項１１に記載の方法。
【請求項１３】
前記正のフィードバックを提示することは、ユーザが第２の成分を選択したという表示を提示することで構成される請求項１１に記載の方法。
【請求項１４】
前記ユーザが第２の成分を選択したという表示を提示することは、前記第２の成分の視覚的表現を取り除くことで構成される請求項１３に記載の方法。
【請求項１５】
前記第１の成分及び前記第２の成分以外の新しい成分に関連した追加の表現であって、１又は複数の追加の視覚的表現を提示することと、
ユーザが前記１又は複数の追加の視覚的表現の１又は複数を選択するよう促すことと、
前記ユーザが前記１又は複数の追加の視覚的表現の１又は複数を選択したことに応答して、正のフィードバックを提示することと、
を更に具備する請求項１１に記載の方法。  
【請求項１６】
他の成分との組み合わせの中に埋め込まれた、前記第１の成分と第２の成分の選択された一方を識別することを教えることを更に具備する請求項１、２、９、１１又は１５に記載の方法。
【請求項１７】
コンピュータで実行される、ユーザを教えるための方法であって、
第１の成分を識別することを教えることと、該第１の成分は、第２の成分との第１の組み合わせの中に埋め込まれたものであり、
前記第２の成分との前記第１の組み合わせの中に埋め込まれた前記第１の成分を、前記第２の成分及び第3の成分の一方から弁別することを教えることと、
で構成される方法。
【請求項１８】
前記第１の成分との第２の組み合わせの中に埋め込まれた前記第２の成分を識別することを教えることを更に具備する請求項１７に記載の方法。
【請求項１９】
前記第１の組み合わせと前記第２の組み合わせのうち選択された一方を識別することを教えることを更に具備する請求項１８に記載の方法。
【請求項２０】
前記第１の組み合わせと前記第２の組み合わせのうち選択された一方を識別することを教えることは、
選択された組み合わせの第１の表現を提示することと、
選択された組み合わせの第２の表現を提示することと、
前記ユーザが行動を行うよう促すことと、
前記ユーザが行った行動に応じて、正のフィードバックを提示することと
で構成される請求項１９に記載の方法。
【請求項２１】
前記第２の成分との前記第１の組み合わせの中に埋め込まれた前記第１の成分を識別することを教えることは、
前記第２の成分との前記第１の組み合わせの中に埋め込まれた前記第１の成分の第１の表現を提示することと、
前記第２の成分との前記第１の組み合わせの中に埋め込まれた前記第１の成分の第２の表現を提示することと、
前記ユーザが行動を行うよう促すことと、
前記ユーザが行った行動に応じて、正のフィードバックを提示することと
で構成される請求項１７に記載の方法。
【請求項２２】
前記正のフィードバックを提示することは、前記第１の組み合わせの中に埋め込まれた前記第１の成分の前記第１の表現と、前記第１の組み合わせの中に埋め込まれた前記第１の成分の前記第２の表現の一方を提示することからなる請求項２１に記載の方法。
【請求項２３】
前記ユーザが行動を行うよう促すことは、前記第２の成分との前記第１の組み合わせの中に埋め込まれた前記第１の成分の前記第１の表現と、前記第２の成分との前記第１の組み合わせの中に埋め込まれた前記第１の成分の前記第２の表現、の一方を選択するようユーザに促すことからなる請求項２１に記載の方法。
【請求項２４】
第３の成分の表現を提示することを更に具備する請求項１７に記載の方法。
【請求項２５】
前記第１の成分と前記第２の成分の選択された一方を識別することを教えることと、
前記選択された成分を他の成分から弁別することを教えることと、
を更に具備する請求項１７又は２１に記載の方法。
【請求項２６】
ユーザを教えるための装置であって、
第1の成分を識別することを教える手段と、
前記第１の成分を第２の成分から弁別することを教える手段と
を具備する装置。
【請求項２７】
前記第1の成分を識別することを教えることは、
前記第１の成分の第１の表現を提示することと、
前記第１の成分の第２の表現を提示することと、
前記ユーザが行動を行うよう促すことと、
前記ユーザが行った行動に応じて、正のフィードバックを提示することと
で構成される請求項２６に記載の装置。
【請求項２８】
前記正のフィードバックを提示することは、前記第１の表現と第２の表現の一方を再提示することからなる請求項２７に記載の装置。
【請求項２９】
前記第１の成分の第１の表現と前記第１の成分の第２の表現の一方が視覚的である請求項２７に記載の装置。
【請求項３０】
前記第１の成分の第１の表現と前記第１の成分の第２の表現の一方が聴覚的である請求項２７に記載の装置。
【請求項３１】
前記第1の成分を識別することを教えることは、
前記第１の成分の第１の視覚的表現を提示することと、
前記第１の成分の聴覚的表現を提示することと、
前記第１の成分の第２の視覚的表現を提示することと、
前記ユーザが前記第１の視覚的表現を選択するよう促し、該ユーザが該第１の視覚的表現を選択したことに応じて、前記聴覚的表現と前記第２の視覚的表現の一方を再提示すること、及び、前記ユーザが前記第２の視覚的表現を選択するよう促し、該ユーザが該第２の視覚的表現を選択したことに応じて、前記聴覚的表現と前記第１の視覚的表現の一方を再提示すること、のいずれか一方と、
で構成される請求項２６に記載の装置。
【請求項３２】
前記第１の成分を第２の成分から弁別することを教えることは、
前記第１の成分の視覚的表現を提示することと、
前記第２の成分の視覚的表現を提示することと、
前記ユーザが前記第１の成分の前記視覚的表現を選択することを促すことと、
該ユーザが該第１の成分の視覚的表現を選択したことに応じて、正のフィードバックを提示することと、
で構成される請求項２６に記載の装置。
【請求項３３】
前記正のフィードバックを提示することは、前記第１の成分の前記視覚的表現と前記第２の成分の前記視覚的表現の一方を再提示することからなる請求項３２に記載の装置。
【請求項３４】
前記第１の成分を第２の成分から弁別することを教えることは、
前記第１の成分の聴覚的表現を提示することと、
前記第２の成分の聴覚的表現を提示することと、
前記第１の成分の前記聴覚的表現が再提示されたことに応答して前記ユーザが行動を行うよう促すことと、
該ユーザが行動を行ったことに応じて、正のフィードバックを提示することと、
で構成される請求項２６に記載の装置。
【請求項３５】
前記正のフィードバックを提示することは、前記第１の成分の前記聴覚的表現と前記第２の成分の前記聴覚的表現の一方を再提示することからなる請求項３４に記載の装置。
【請求項３６】
前記第１の成分を第２の成分から弁別することを教えることは、
前記第１の成分の視覚的表現を提示することと、
前記第２の成分の視覚的表現を提示することと、
前記ユーザが前記第２の成分の前記視覚的表現を選択することを促すことと、
該ユーザが該第２の成分の視覚的表現を選択したことに応じて、正のフィードバックを提示することと、
で構成される請求項２６に記載の装置。
【請求項３７】
前記第１の成分の視覚的表現と前記第２の成分の視覚的表現が同時的に提示されることを特徴とする請求項３６に記載の装置。
【請求項３８】
前記正のフィードバックを提示することは、ユーザが第２の成分を選択したという表示を提示することで構成される請求項３６に記載の装置。
【請求項３９】
前記ユーザが第２の成分を選択したという表示を提示することは、前記第２の成分の視覚的表現を取り除くことで構成される請求項３８に記載の装置。
【請求項４０】
前記第１の成分及び前記第２の成分以外の新しい成分に関連した追加の表現であって、１又は複数の追加の視覚的表現を提示する手段と、
ユーザが前記１又は複数の追加の視覚的表現の１又は複数を選択するよう促す手段と、
前記ユーザが前記１又は複数の追加の視覚的表現の１又は複数を選択したことに応答して、正のフィードバックを提示する手段と、
を更に具備する請求項３６に記載の装置。  
【請求項４１】
他の成分との組み合わせの中に埋め込まれた、前記第１の成分と第２の成分の選択された一方を識別することを教える手段を更に具備する請求項２６、２７、３４、３６又は４０に記載の装置。
【請求項４２】
ユーザを教えるための装置であって、
第１の成分を識別することを教える手段と、該第１の成分は、第２の成分との第１の組み合わせの中に埋め込まれたものであり、
前記第２の成分との前記第１の組み合わせの中に埋め込まれた前記第１の成分を、前記第２の成分及び第3の成分の一方から弁別することを教える手段と、
を具備する装置。
【請求項４３】
前記第１の成分との第２の組み合わせの中に埋め込まれた前記第２の成分を識別することを教える手段を更に具備する請求項４２に記載の装置。
【請求項４４】
前記第１の組み合わせと前記第２の組み合わせのうち選択された一方を識別することを教える手段を更に具備する請求項４３に記載の装置。
【請求項４５】
前記第１の組み合わせと前記第２の組み合わせのうち選択された一方を識別することを教えることは、
選択された組み合わせの第１の表現を提示することと、
選択された組み合わせの第２の表現を提示することと、
前記ユーザが行動を行うよう促すことと、
前記ユーザが行った行動に応じて、正のフィードバックを提示することと
で構成される請求項４４に記載の装置。
【請求項４６】
前記第２の成分との前記第１の組み合わせの中に埋め込まれた前記第１の成分を識別することを教えることは、
前記第２の成分との前記第１の組み合わせの中に埋め込まれた前記第１の成分の第１の表現を提示することと、
前記第２の成分との前記第１の組み合わせの中に埋め込まれた前記第１の成分の第２の表現を提示することと、
前記ユーザが行動を行うよう促すことと、
前記ユーザが行った行動に応じて、正のフィードバックを提示することと
で構成される請求項４２に記載の装置。
【請求項４７】
前記正のフィードバックを提示することは、前記第１の組み合わせの中に埋め込まれた前記第１の成分の前記第１の表現と、前記第１の組み合わせの中に埋め込まれた前記第１の成分の前記第２の表現の一方を提示することからなる請求項４６に記載の装置。
【請求項４８】
前記ユーザが行動を行うよう促すことは、前記第２の成分との前記第１の組み合わせの中に埋め込まれた前記第１の成分の前記第１の表現と、前記第２の成分との前記第１の組み合わせの中に埋め込まれた前記第１の成分の前記第２の表現、の一方を選択するようユーザに促すことからなる請求項４６に記載の装置。
【請求項４９】
第３の成分の表現を提示する手段を更に具備する請求項４２に記載の装置。
【請求項５０】
前記第１の成分と前記第２の成分の選択された一方を識別することを教える手段と、
前記選択された成分を他の成分から弁別することを教える手段と、
を更に具備する請求項４２又は４６に記載の装置。
【請求項５１】
ユーザを教えるためのコンピュータプログラム製品を内容とするコンピュータ読み取り可能な記憶媒体であって、該コンピュータプログラム製品は、
第1の成分を識別することを教えるためのプログラムコードと、
前記第１の成分を第２の成分から弁別することを教えるためのプログラムコードと
で構成される。
【請求項５２】
前記第1の成分を識別することを教えることは、
前記第１の成分の第１の表現を提示することと、
前記第１の成分の第２の表現を提示することと、
前記ユーザが行動を行うよう促すことと、
前記ユーザが行った行動に応じて、正のフィードバックを提示することと
で構成される請求項５１に記載のコンピュータ読み取り可能な記憶媒体。
【請求項５３】
前記第１の成分を第２の成分から弁別することを教えることは、
前記第１の成分の視覚的表現を提示することと、
前記第２の成分の視覚的表現を提示することと、
前記ユーザが前記第１の成分の前記視覚的表現を選択することを促すことと、
該ユーザが該第１の成分の視覚的表現を選択したことに応じて、正のフィードバックを提示することと、
で構成される請求項５１に記載のコンピュータ読み取り可能な記憶媒体。
【請求項５４】
前記第１の成分を第２の成分から弁別することを教えることは、
前記第１の成分の聴覚的表現を提示することと、
前記第２の成分の聴覚的表現を提示することと、
前記第１の成分の前記聴覚的表現が再提示されたことに応答して前記ユーザが行動を行うよう促すことと、
該ユーザが行動を行ったことに応じて、正のフィードバックを提示することと、
で構成される請求項５１に記載のコンピュータ読み取り可能な記憶媒体。
【請求項５５】
前記第１の成分を第２の成分から弁別することを教えることは、
前記第１の成分の視覚的表現を提示することと、
前記第２の成分の視覚的表現を提示することと、
前記ユーザが前記第２の成分の前記視覚的表現を選択することを促すことと、
該ユーザが該第２の成分の視覚的表現を選択したことに応じて、正のフィードバックを提示することと、
で構成される請求項５１に記載のコンピュータ読み取り可能な記憶媒体。
【請求項５６】
ユーザを教えるためのコンピュータプログラム製品を内容とするコンピュータ読み取り可能な記憶媒体であって、該コンピュータプログラム製品は、
第１の成分を識別することを教えるためのプログラムコードと、該第１の成分は、第２の成分との第１の組み合わせの中に埋め込まれたものであり、
前記第２の成分との前記第１の組み合わせの中に埋め込まれた前記第１の成分を、前記第２の成分及び第3の成分の一方から弁別することを教えるためのプログラムコードと、
で構成される。
【請求項５７】
前記第２の成分との前記第１の組み合わせの中に埋め込まれた前記第１の成分を識別することを教えることは、
前記第２の成分との前記第１の組み合わせの中に埋め込まれた前記第１の成分の第１の表現を提示することと、
前記第２の成分との前記第１の組み合わせの中に埋め込まれた前記第１の成分の第２の表現を提示することと、
前記ユーザが行動を行うよう促すことと、
前記ユーザが行った行動に応じて、正のフィードバックを提示することと
で構成される請求項５６に記載のコンピュータ読み取り可能な記憶媒体。